(57)【要約】【課題】従来の必勝法の中にも理論上は６ヶ所又は、それ以上のスポツトに賭ける方法はあつたが、回転盤の数字は作為的は配列であり回転と同時に投入されるボールがスポツトに落下するまでの数十秒以内にレイアウト上の番号に確実に置くことは不可能であつた。【解決手段】本発明の場合は作為的な配列されている０から３６までの数字を、効率よく暗記可能にするために０から１２、１３から２４から２５から３６までの３分割表を用いて容易に暗記可能な暗記表作成法を提供するものである。【選択図】図４
2016059741.tif 000002
【特許請求の範囲】
【請求項１】
アメリカンシングル０タイプ及びヨーロピアンシングル０タイプのルーレット回転盤の内側に記載されている０から３６まで無作為に記載されている数字の左右数ヶ所の数字を容易に暗記可能な表を設けられることを特徴とするルーレットシングル０タイプ限定の暗記表作成法。
【請求項２】
前記記載の０から３６までの数字を０から１２、１４から２４、２５から３６又は、０から１２，１３から２４及び２５から３６と三分割又は、二分割表にすることにより容易に暗記可能な表を設けられることを特徴とする請求項１記載のルーレットシングル０タイプ限定の暗記表作成法。
【発明の詳細な説明】
【技術分野】
【０００１】
本発明はルーレットシングル０タイプ限定の暗記表作成法に関する。
【背景技術】
【０００２】
伝統的なルーレットゲームの必勝法に関する本は数多く出版されている。
【０００３】
必勝戦術として有名なマーチンゲール法では、初回負けたら、その倍と、また負けたらその倍と、倍々に賭ける方式であるが、必ずカジノでは賭けられる限度額を設けられているため倍々での掛け方には限度がある。
【０００４】
また、グランマーチンゲール法のように、負けた場合、負けた数字の倍額に必ず１をプラスして次回に賭ける方式もある。
【０００５】
ピラミッドシステム法、ダランベール法とも言われえている。この必勝法は、マーチンゲール法のように負けた時は倍賭けするのではなく、例えば初回を1単位として負けた場合は初回と同様に１単位増やし、勝った場合は逆に初回の１単位減らす方式であるが、数回連続して賭けに勝つのを前提の方式である。
【０００６】
逆マーチンゲール法は初回の単位を１と場合、勝って配当が初回の1と場合、次回は初回の１と配当の１の合計２として、次回負けた場合は初回の１に戻る方式である。
【０００７】
また、現在までルーレットシングル０タイプでハウスサイドの控除率２.７％をしのぐ必勝法は有りません。
【０００８】
前述に述べられている必勝法は、確率及び勝率の誤差の上下動の幅や連続性がなく必勝法とは程遠かった。
【発明の開示】
【発明が解決しようとする課題】
【０００９】
本発明は上記記載の従来の必勝法の構成が有していた問題点を解決しようとするものである。
【課題を解決するための手段】
【００１０】
以下上記問題点を解決するために本発明のルーレットシングル０タイプの、０から３６まで内から選択した一つの数字の左右数箇所の無作為に配列されている数字に、数十秒以内に賭けることが可能な暗記表作成法に付いて説明する。
【００１１】
ルーレットにはヨーロピアンシングル０タイプと、アメリカンシングル０タイプと、００ダブルタイプの３種類がある。
【００１２】
ルーレットでは、アメリカンタイプ１６１ヶ所と、ヨーロピアンタイプ１５１ヶ所の１１種類の掛け方があり、配当も当然異なっている。
【００１３】
ルーレットシングル０タイプの０から３６までの数字の全てに掛けた場合、確率的には、ハウスサイドとプレイヤーサイドは、５０％対５０％と思われそうですが、下記に述べられている通り間違いである。
【００１４】
それは、ルーレットゲーム０から３６までの数字に掛けた場合の配当は３６倍であり、例えば、３７ヶ所全てにチップ１枚を掛けた場合必ず１枚は当たる訳でありますが、ハウスサイドの配当は３５枚プラス掛けた１枚を含めて計３６枚であり、３７÷３６で、９７.２９約９７.３であり、当初からハウスサイドに有利なアドバンテージしての控除率２.７％即ちピンハネ率を設けられており、確率的には、ハウスサイド約５１％プレイヤーサイド４９％である。
【００１５】
上記確率を如何にしてプレイヤーサイド優位にすることが可能に出来るかを以下に述べている。
【００１６】
テーブルリミットを超えない範囲の資金を、初回を１とした場合、２，３，４，５，６，７，８，９，１０と連続１０回を限度として分割するのである。この場合の確率は、7回目の場合でハウスサイド約４７％、プレイヤーサイド約５３％であり、８回目でハウスサイド約４４％、プレイヤーサイドで約５６％であり、10回目の場合では、ハウスサイドで約３８％、プレイヤーサイドでは約６２％である。連続１２回賭けの場合では、ハウスサイド約３４％でありプレイヤーサイドで約６６％である。
【００１７】
上記に記載されている通り、１０回又は１２回と連続して賭けることにより、ハウスサイドのアドバンテージ即ち有利な控除率をプレイヤーサイドに変えることが可能である。また、１０回又は１２回以内に勝った場合の掛け方は初回より始めるのである。
【００１８】
本発明の掛け方は、初回より１０回又は１２回と連続して賭けることにより、控除率を逆転することが可能であり、その結果勝率が７０％以上確保可能になる暗記表作成法である。
【００１９】
本発明の掛け方に付いて述べると、ルーレット回転盤の回転方向右回りの時計回りと反対であり、投入されるボールは、左回転の時計回りと同じ方向である。
【００２０】
一般的な掛け方は、前記ルーレット回転盤にボールを投入する前に、図１２に示されているレイアウト上の数字に賭けられるのであるが、本発明の掛け方は、デイーラーの癖を大いに利用する掛け方であり、ボール投入と同時に賭ける方法であるため、ボール投入してデイーラーが、もう掛けられませんと宣言するまでの十数秒間に掛けるのである。
【００２１】
それは、前記記載の通りデイーラーの癖を利用するため、デイーラーのボール投入時の手元の数字を記憶して、回転しているボールが何度位の角度でスポットに落下するかを見極めるのである。
【００２２】
当然デーラーサイドも変化を持たせてボールを投入しているが変化させても精々４−５回程度が限界であり、この限界を活用するのである。
【００２３】
しかも連続性が重要要素であるためボール投入時のデイーラーの手元を確認してから狙う数字を決めて数十秒以内に賭けるのであるから、狙う数字の左右数箇所を暗記していても、レイアウト上の数字に最大限６ヶ所又は７ヶ所賭けるのが限度である。
【００２４】
掛け方は、賭ける数字を決めた数字中心に含めて計６ヶ所またはあ７ヶ所の数字の配列は、無作為に配列された数字であり、限られた数秒以内に賭けることは不可能に近い。
【００２５】
アメリカンシングル０タイプ及びヨーロピアンシングル０タイプの回転盤内側に記載されている０から３６までの無作為に配列されている数字を効率よく容易に記憶可能な暗記表作成法について説明する。
【００２６】
下記に示されている表は、０から３６までの（  ）内の数字の作為的に配列されている数字の左３ヶ所及び右２ヶ所の計６ヶ所の数字を暗記表作成法に基づき作成した、アリカンシングル０タイプの２分割又は３分割の暗記表である。
【００２７】
３６-１３-１-（０）-２７-１０           ２３-３５-１４-（２）-２８-９
０１０-３-７６                          ２９-４３-８５
２４-３６-１３-（１）-０-２７           ２１-３３-１６-（４）-２３-３５
０１-３４-７６                          ４-６１３-３５
２２-３４-１５-（３）-２４-３６         １９-３１-１８-（６）-２１-３３
３-５２４-４６                          ６-８９１-１３
２０-３２-１７-（５）-２２-３４         ２５-２９-１２-（８）-１９-３１
５-７０２-２４                          ８２-９-５９１
２６-３０-１１-（７）-２０-３２         １-０-２７-（１０）-２５-２９
７１-０-６０２                          ０１０-５７９
１４−２−２８-（９）-２６-３０         ９-２６-３０-（１１）-７-２０
２９-４-６８０                          ９１-０-６０
１０-２５-２９-（１２）-８-１９         ３-２４-３６-（１３）-１-０
８０２-９-５９                          ０１３-３４-６
４-２３-３５-（１４）-２-２８           ５-２２-３４-（１５）-３-２４
２４-４３-８５                          ５-５２４-４
６-２１-３３-（１６）-４-２３           ７-２０-３２-（１７）-５-２２
４６-６１３-３                          ７-７０２-２
８-１９-３１-（１８）-６-２１           ３０-１１-７-（２０）-３２-１７
６８-８９１-１                          １-７０-０２
２９-１２-８-（１９）-３１-１８         ２-１７-５-（２２）-３４-１５
８２-８９-９１                          ５-５７２-２４
３１-１８-６-（２１）-３３-１６         ４-１５-３-（２２）-３６-１３
６-６８１-１３                          ３-３５４-４６
３３-１６-４-（２３）-３５-１４         ２-２８-９-（２６）-３０-１１
４-４６３-３５                          ２９１-６８０
０-２７-１０-（２５）-２９-１２         ５-１４-２-（２８）-９-２６
００２-５７９                           ２５９−４−６
１３-１- ０-（２７）-１０-２５          ２７-１０-２５-（２９）-１２-８     
０１０-３-５７                          ８０２-５７９
２８-９-２６-（３０）-１１-７           １２-８-１９-（３１）-１８-６               
７９１-６８０                           ６８２-８９-１
１１-７-２０-（３２）-１７-５           １８-６-２１-（３３）-１６-４
５７１-７０-２                          ４６-６８１-３
１７-５-２２-（３４）-１５-３           １６-４-２３-（３５）-１４-２
３５-５７２-４                         ２４-４６３-５
１５-３-２４-（３６）-１３-１          
１３-３５４-６
【００２８】
また、下記に示されている表は、０から３６までの（）内の数字の作為的に配列されている数字の左２ヶ所及び右３ヶ所の計６ヶ所の数字を暗記表作成法に基づき作成した、アリカンシングル０タイプの２分割又は３分割の暗記表である。
【００２９】
１３-１-（０）-２７-１０-２５          ３５-１４-（２）-２８-９-２６
０１０-３-５７                         ２９-４-６８５
３６-１３-（１）-０-２７-１０          ３３-１６-（４）-２３-３５-１４
０１０-３-７６                         ４-４６３-３５
３４-１５-（３）-２４-３６-１３        ３１-１８-（６）-２１-３３-１６
３-３５４-４６                         ６-６８１-３１
３２-１７-（５）-２２-３４-１５        ２９-１２-（８）-１９-３１-１８
５-５７２-２４                         ８２-８９-９１
３０-１１-（７）-２０-３２-１７        ０-２７-（１０）-２５-２９-１２
７１-７０-０２                         ００２-５７９
２−２８-（９）-２６-３０-１１         ２６-３０-（１１）-７-２０-３２
２９-１-６８０                         ７１-０-６０２
２５-２９-（１２）-８-１９-３１        ２４-３６-（１３）-１-０-２７
８２-９-５９１                         ０１-３４７-６
２３-３５-（１４）-２-２８ -９         ２２-３４-（１５）-３-２４-３６
２９-４３-８５                         ３-５２４-４６
２１-３３-（１６）-４-２３-３５        ２０-３２-（１７）-５-２２-３４
４-６１３-３５                         ５-７０２-２４
１９-３１-（１８）-６-２１-３３        １１-７-（２０）-３２-１７-５
６-８９１-１３                         ５７１-７０-２
１２-８-（１９）-３１-１８  -６        １７-５-（２２）-３４-１５-３
６８２-８９-１                        ３５-５７２-４
１８-６-（２１）-３３-１６-４          １５-３-（２４）-３６-１３-１
４６-６８１-３                         １３-３５４-６
１６-４-（２３）-３５-１４-２          ２８-９-（２６）-３０-１１-７
２４-４６３-５                         ７９１-６８０
２７-１０-（２５）-２９-１２-８        １４-２-（２８）-９-２６-３０
８０２-５７９                          ２９-４-６８０
１-０-（２７）-１０-２５-２９          １０-２５-（２９）-１２-８ -１９    
０１０-５７９                          ８０２-９-５９
９-２６-（３０）-１１-７-２０          ８-１９-（３１）-１８-６-２１               
７９１-０-６０                         ６８-８９１-１
７-２０-（３２）-１７-５-２２          ６-２１-（３３）-１６-４-２３
５７-７０２-２                         ４６-６１３-３
５-２２-（３４）-１５-３-２４          ４-２３-（３５）-１４-２-２８
３５-５２４-４                         ２４-４３-８５
３-２４-（３６）-１３-１-０          
０１３-３４-６
【００３０】
また、下記に示されている表は、０から３６までの（  ）内の数字の作為的に配列されている数字の左３ヶ所及び右２ヶ所の計６ヶ所の数字を暗記表作成法に基づき作成した、ヨーロピアンシングル０タイプの２分割又は３分割の暗記表である。 
３５・３・２６・（０）・３２・１５     １９・４・２１・（２）・２５・１７             
０３-５-６２５                         ２４-７１９-５
２４・１６・３３・（１）・２０・１４   ３２・１５・１９・（４）・２１・２
１-４６０４-３                         ２４-５９１-２
２８・１２・３５・（３）・２６・０     ２５・１７・３４・（６）・２７・１３
０３２-６８５                          ６-３７-５７４                
８・２３・１０・（５）・２４・１６     ３６・１１・３０・（８）・２３・１０
５８０-６３４                          ８０１-３-０６
２２・１８・２９・（７）・２８・１２   ３０．８・２３・（１０）・５・２４
７２-８２-８９                         ５８０-３４-０
２０・１４・３１・（９）・２２・１８   ２７・１３・３６・（１１）・３０・８
９-４８０２-１                         ８１-３-０７６
２９・７・ ２８・（１２）・３５・３    ３４・６・２７・（１３）・３６・１１
３７２−８９５                         ６１−３−７４６       
３３・１・２０・（１４）・３１・ ９    ２６・０・３２・（１５）・１９・４
１９-４０-１３                         ０４-５９-６２
１０・５・２４・（１６）・３３・１     ２１・２・２５・（１７）・３４・６
１５０-６４-３                         ２６-７１-５４
３１・９・２２・（１８）・２９・７     １６・３３・１・（２０）・１４・３１
７９-８２-９１                         １-４６０-１３
０・３２・１５・（１９）・４・２１     １４・３１・９・（２２）・１８・２９
０４-５９１-２                         ９-４８２-９１
１５・１９・４・（２１）・２・２５     ２３・１０・５・（２４）・１６・３３
２４−５９１−５                       ５０-６３４-３
１１・３０・８・（２３）・１０・５     １２・３５・３・（２６）・０・３２
５８０１−３−０                       ０３２−６２５
４・２１・２・（２５）・１７・３４     １８・２９・７・（２８）・１２・３５
２４−７１−５４                       ７２−８−８９５              
１７・３４・６・（２７）・１３・３６   ９・２２・１８・（２９）・７・２８
６−３７−７４６                       ７９−８２−８９
１３・３６・１１・（３０）・８・２３   １・２０・１４（３１）・９・２２
８１−３３−０６                       １９−４０２−１
３・２６・０・（３２）・１５・１９     ５・２４・１６・（３３）・１・２０
０３−５９−６２                       １５−６０４−３
２・２５・１７・（３４）・６・２７     ７・２８・１２・（３５）・３・２６
２６−７−５７４                       ３７２−６８５
６・２７・１３・（３６）・１１・３０
６１−３−７０６
【００３１】
また、下記に示されている表は、０から３６までの（  ）内の数字の作為的に配列されている数字の左２ヶ所及び右３ヶ所の計６ヶ所の数字を暗記表作成法に基づき作成した、ヨーロピアンシングル０タイプの２分割又は３分割の暗記表である。  
【００３２】
３５・３・２６・（０）・３２・１５     １９・４・２１・（２）・２５・１７             
０３-５-６２５                         ２４-７１９-５
２４・１６・３３・（１）・２０・１４   ３２・１５・１９・（４）・２１・２
１-４６０４-３                         ２４-５９１-２
２８・１２・３５・（３）・２６・０     ２５・１７・３４・（６）・２７・１３
０３２-６８５                          ６-３７-５７４                
８・２３・１０・（５）・２４・１６     ３６・１１・３０・（８）・２３・１０
５８０-６３４                          ８０１-３-０６
２２・１８・２９・（７）・２８・１２   ３０．８・２３・（１０）・５・２４
７２-８２-８９                         ５８０-３４-０
２０・１４・３１・（９）・２２・１８   ２７・１３・３６・（１１）・３０・８
９-４８０２-１                         ８１-３-０７６
２９・７・ ２８・（１２）・３５・３    ３４・６・２７・（１３）・３６・１１
３７２−８９５                         ６１−３−７４６       
３３・１・２０・（１４）・３１・ ９    ２６・０・３２・（１５）・１９・４
１９-４０-１３                         ０４-５９-６２
１０・５・２４・（１６）・３３・１     ２１・２・２５・（１７）・３４・６
１５０-６４-３                         ２６-７１-５４
３１・９・２２・（１８）・２９・７     １６・３３・１・（２０）・１４・３１
７９-８２-９１                         １-４６０-１３
０・３２・１５・（１９）・４・２１     １４・３１・９・（２０）・１８・２９
０４-５９１-２                         ９-４８２-９１
１５・１９・４・（２１）・２・２５     ２３・１０・５・（２４）・１６・３３
２４−５９１−５                       ５０-６３４-３
１１・３０・８・（２４）・１０・５     １２・３５・３・（２６）・０・３２
５８０１−３−０                       ０３２−６２５
４・２１・２・（２５）・１７・３４     １８・２９・７・（２８）・１２・３５
２４−７１−５４                       ７２−８−８９５              
１７・３４・６・（２７）・１３・３６   ９・２２・１８・（２９）・７・２８
６−３７−７４６                       ７９−８２−８９
１３・３６・１１・（３０）・８・２３   １・２０・１４（３１）・９・２２
８１−３３−０６                       １９−４０２−１
３・２６・０・（３２）・１５・１９     ５・２４・１６・（３３）・１・２０
０３−５９−６２                       １５−６０４−３
２・２５・１７・（３４）・６・２７     ７・２８・１２・（３５）・３・２６
２６−７−５７４                         ３７２−６８５
２７・１３・（３６）・１１・３０  
６１−３−７０６
【００３３】
さらに、ハウスサイドの優位性は、一回の賭ける金額にテーブルリミットを設けて、無制限に掛けられないよう設けられている。
【００３４】
また、本発明の暗記表に基づくゲームの場合は、スター時からの連続性が重要要素でありプレイヤーサイドには投資資金には限度がある。
【００３５】
そのテーブルリミットを守り勝利するには、リミットを如何に無理せず活用するための暗記表作成法なのである。
【発明の効果】
【００３６】
従来のどの必勝法でも連続して賭け続けることを基本としているが、テーブルリミットに苦慮している。
【００３７】
本発明の暗記表作成法は、ルーレット回転盤円周上に無作為に配列されているおから３６までの数字の一つを選択した左右の数字を容易に暗記可能な暗記表作成法を設けたことである。
【００３８】
また、投資資金をテーブルリミットから逆算して：１０回又は１２回と分割して初回を決めることが可能である。
【００３９】
さらに、例えば６ヶ所に掛けた場合、０から３６までの数字の合計を６で割ると６．１６６であり、平均値では約６回に1回の割合で、６ヶ所に掛けた番号の何れかがでる計算である。
【００４０】
しかし、前記記載の通り約６回に1回はでる確率であるが、本発明の必勝法の場合は最大限１０回又は１２回に１回出れば勝てるのである。さらに、デイーラーの癖と連続性を活用することにより、確率論的には,１０回目の場合でデイーラー約１６０％、１２回目の場合で２００％の優位性を有しているのである。
【００４１】
本発明の記憶表の場合は、前記６ヶ所賭けの場合でも１０回又は１２回以内に６ヶ所の何れかの数字がでれば勝てるよう設けられている暗記表作成法である。
【００４２】
例えば、おから３６の数字の１の数字の、左より２４，３６，１３，１，０及び２７である。この数字を単に記憶し、ゲームスタートと同時に全ての数字に１５秒前後以内にテーブル上のレアウト上の数字に賭けることは、先ず不可能に近いのであるが、本発明の暗記表作成法の表に基づき、０から３６番までを０から１２，１３からー２４，２５から３６までの３分割方式に設けて０１−３４−７６暗記表作成法の暗記表を設けている。
【発明を実施するための最良の形態】
【００４３】
実施例に係わる実施形態について図１から図１２を参照してさらに詳細に説明する。なお、本発明の範囲は特許請求の範囲のものであって、以下の実施形態に限定されないことはいうまでもない。
【００４４】
以下、本発明の実施例１の図１から図６に基づき説明する。
【００４５】
図１は、０から３６まで数字が記載されているアメリカンシングル０タイプのルーレット回転盤であり、０，１，３，５，７，９，１２，１４，１６，１８，１９，２１，２３，２５，２７，３０，３２，３４、３６は赤に白抜きで記載されており、残りは黒に白抜き記載されている。
【００４６】
図２は、図１の、０から３６までの数字を暗記表作成法に基づき作成する場合の一例として５の数字の左右３ヶ所を示す図である。
【００４７】
図３は、図２に示されている５の数字の左３ヶ所の数字、２０、３２、１７及び右３ヶ所の数字の２２、３４、１５のように無作為の配列されており、ルーレット回転盤にボール投入時の手元の数字が０の場合で角度方向約９０度の前記記載の５の数字左３ヶ所と右２ヶ所又は、左２ヶ所と右３ヶ所、さらに、左右３ヶ所に数十秒以内に賭けることは不可能に近く効率よく暗記する方法として、前記記載の各数字を０−１２，１３−２４，２５−３６と２分割または３分割以内に分けることにより可能となる分割表を示している図である。
【００４８】
図４は、図２の５の数字左３ヶ所２０，３２，１７と右２ヶ所２２，３４と前記図３に基づき、０から１２以内は、５の数字だけであり、１３から２４までの数字は、１７，２０と２２であるから１７は、７として、２０は１７より数が大きいので７０として記載しても２０であると暗記可能であり、２２の数字も同様であり、さらに、２４から３６の範囲の数字は３２と３４であるから、２４となり暗記表作成の方法は、５−７０２−２４となる暗記表作成法の図を示している。
【００４９】
図５の場合も同様に、図２の５の数字左２ヶ所３２，１７と右３ヶ所２２，３４、１５と前記図３に基づき、０から１２以内は、５の数字だけであり、１３から２４までの数字は、１５、１７，２２であるから１５は、５として、２２は１７より数が大きいので７２記載しても２２であり、さらに、２４から３６の範囲の数字は３２と３４であるから、２４となり、５−５７２−２４となる暗記表作成法の図を示している。
【００５０】
図６の場合も同様に、図２の５の数字の左右３ヶ所の数字、数字２０，３２，１７と２２，３４，１５を、０から１２までの５と、１３−２４までの、１５，１７，２０、と２２。そして、２４から３６までの３２と３４を３分割作成法に基づき５−５７０２−２４となる暗記表作成法の図を示している。
【００５１】
以下、本発明の実施例２の図７から図１２に基づき説明する。
【００５２】
図７は、０から３６まで数字が記載されているヨーロピアンシングル０タイプのルーレット回転盤であり、図１のアメリカンシングル０タイプ同様に、０，１，３，５，７，９，１２，１４，１６，１８，１９，２１，２３，２５，２７，３０，３２，３４と３６は赤に白抜きで記載されており、残りは黒に白抜き記載されている。
【００５３】
図８は、図７の、０から３６までの数字を暗記表作成法に基づき作成する場合の一例として５の数字の左右３ヶ所を示している。
【００５４】
図９は、５の数字の左３ヶ所と右２ヶ所の数字、８，２３，１０，２４，と１６の無作為に配列されている数字を、実施例図３に示されている０から１２，１３から２４、２５から３６の３分割表を元に、０から１２までの数字内の数、５，８，１８を５８０として、残り１６、２３と２４以内で数字であるから暗記表作成法に基づき５８０−６３４となる２分割表を示している図である。
図１０は、５の数字の左２ヶ所と右３ヶ所の数字、２３，１０，２４，と１６、と３３の無作為に配列されている数字を、実施例１の図３に示されている０から１２，１３から２４、２５から３６の３分割表を元に、０から１２までの数５と、１３から２４までの数字１６，２３と２４までと２４から３６までの数字３３を３分割の５０−６３４―３となる暗記表作成法を示している図である。
【００５５】
図１１の場合も同様に、図２の５の数字の左右３ヶ所の数字、数字８，２３，１０，２４，１６と３３を、０から１２までの５，８，１０と、１３から２４までの１６，２３と２４と、２５から３６まで数字の３３を３分割の５８０−６３４−３の暗記表作成法を示している図である。
【００５６】
図１２は、ルーレットゲームでプレイヤーが賭ける場合の０から３６の数字を記載されているレイアウトである。
【図面の簡単な説明】
【００５７】
本発明の実施例１から図６について説明する。
【図１】図１は,アメリカンシングル０タイプのルーレット回転盤である。
【図２】図２は,図１のルーレット回転盤数字の一部の拡大図である。
【図３】図３は,暗記表作成法に用いる表を示している数字の分割表である。
【図４】図４は,図２の５の数字,左３ヶ所と右２ヶ所の計６ヶ所の暗記表である。
【図５】図５は,図２の５の数字,左２ヶ所と右３ヶ所の計６ヶ所の暗記表である。
【図６】図６は,図２の５の数字,左３ヶ所と右３ヶ所の計７ヶ所の暗記表である。
【図７】図７は,ヨーロッパシングル０タイプのルーレット回転盤である。
【図８】図８は,図７のルーレット回転盤数字の一部の拡大図である。
【図９】図９は,図８の５の数字,左３ヶ所と右２ヶ所の計６ヶ所の暗記表である。
【図１０】図１０は,図８の５の数字,左２ヶ所と右３ヶ所の計６ヶ所の暗記表である。
【図１１】図１１は,図８の５の数字,左３ヶ所と右３ヶ所の計７ヶ所の暗記表である。
【図１２】図１２は,０から３６の数字を示すレイアウトである。
【符号の説明】
【００５８】
１、１a                  ルーレット回転盤  
２、２a                  計７ヶ所数字表
３                       ０から３６の３分割作成表
４, ４a, ４b, ４c, ４ｄ, ３分割暗記表作成法
５                       ２分割暗記表作成法
６                       レイアウト    
【図１】
2016059741.tif 000003
【図２】
2016059741.tif 000004
【図３】
2016059741.tif 000005
【図４】
2016059741.tif 000006
【図５】
2016059741.tif 000007
【図６】
2016059741.tif 000008
【図７】
2016059741.tif 000009
【図８】
2016059741.tif 000010
【図９】
2016059741.tif 000011
【図１０】
2016059741.tif 000012
【図１１】
2016059741.tif 000013
【図１２】
2016059741.tif 000014